(57)【要約】【課題】番組情報の分類を一目で確認できるように視聴者に報知することで操作性を高めることができるリモコン装置を提供する。【解決手段】リモコン装置３０の送受信部３１はテレビジョン受信機１０から番組ジャンル情報を受信する。リモコン制御部３２は、メモリ部３３に記憶されているジャンルカラー設定情報を読み出して、番組ジャンル情報に基づいてチャンネルキーボタンに色を割り当てる。ＬＥＤ制御部３４は、リモコン制御部３２の色設定指示信号に従って、キーボタン部３５に内蔵されているＬＥＤを点灯制御する。ＬＥＤ制御部３４は内部タイマーによって点灯時間をカウントしており、所定時間を経過したかを確認している。所定時間を経過した場合にＬＥＤを消灯する。【選択図】図１
2008072557.tif 000002
【特許請求の範囲】
【請求項１】
受信した放送信号を処理する映像処理装置を操作するリモコン装置において、
前記映像処理装置に処理する番組チャンネルを指定するチャンネルキーボタンと、
前記チャンネルキーボタンをそれぞれカラー点灯させる発光手段と、
前記映像処理装置から番組分類情報を受信し、また前記映像処理装置に操作指示信号を送信する送受信手段と、
受信した番組分類情報に基づいて分類毎に所定の色で前記発光手段を発光させる発光制御手段とを備えたことを特徴とするリモコン装置。
【請求項２】
受信した放送信号を処理する映像処理装置を操作するリモコン装置において、
前記映像処理装置に処理させる番組チャンネルを指定するチャンネルキーボタンと、
チャンネルキーボタンをそれぞれカラー点灯させる発光手段と、
番組情報を受信し、また前記映像処理装置に操作指示信号を送信する送受信手段と、
前記送受信手段が受信した番組情報から番組分類情報を抽出する抽出手段と、
抽出した分類毎に所定の色で前記発光手段を発光させる発光制御手段とを備えたことを特徴とするリモコン装置。
【請求項３】
前記番組分類情報は、ジャンル毎に番組を分類した情報であることを特徴とする請求項１又は２に記載のリモコン装置。
【請求項４】
前記発光制御手段は、赤、緑、青の発光制御による多色発光が可能であることを特徴とする請求項１、２又は３に記載のリモコン装置。
【請求項５】
前記発光制御手段は、赤、緑、青、無点灯の４種類に分けて前記発光手段を発光させることを特徴とする請求項４に記載のリモコン装置。
【発明の詳細な説明】
【技術分野】
【０００１】
本発明は、電子番組ガイド（以下ＥＰＧ：Electronic Program Guideと称する）等の番組情報に基づいて、番組ジャンルなどをユーザに報知することができるリモコン装置に関する。
【背景技術】
【０００２】
ＥＰＧは、地上デジタル放送、衛星デジタル放送、アナログ放送等を利用して番組データを配信し、画面に番組表を表示させるシステムである。デジタル放送の場合はデータ領域が設けられて、そこに番組情報が組み込まれており、アナログ放送の場合はＶＢＩ（Vertical Blanking Interval）領域に番組情報が組み込まれている。この番組情報を受信してテレビジョン受像機等に番組表を表示して、ユーザが放送番組の内容を簡易に且つ迅速に確認でき、さらに見たいジャンルの番組を検索したりして番組数を絞り込み、リモコンを利用して表示番組を指定したり、録画予約をしたりすることができる。
【０００３】
ＥＰＧ機能を有するテレビジョン受像機でＥＰＧ表示を行うと、画面全体あるいは一部にＥＰＧ表示が行われてしまい、視聴している画面が隠れたり、小さくなったりする不都合があった。また、テレビジョン受像機の画面を見ながらリモコン操作を行うには、視線を移動しなければならず、操作性が悪かった。そこで、特許文献１では、リモコン装置の表示画面にＥＰＧ表示を行うものが開示されている。これにより、テレビジョン受像機の画面にＥＰＧ表示をさせる必要がないため、視聴画面がそのまま表示され、また、リモコン画面を見ながら番組選択ができるため、操作性も改善できるとしている。
【特許文献１】特開平１１−３１７８８５号公報
【発明の開示】
【発明が解決しようとする課題】
【０００４】
しかしながら、リモコン装置にＥＰＧ表示を行わせるためには、高精細な表示部を設ける必要があり、小型化は難しく、コストも高くなってしまう。また、リモコンの画面を大きくできないため、表示されている文字が小さくて読めなかったり、文字を大きくすると番組表の全体が把握できないという不都合がある。そして、一目で番組の確認ができないため表示移動を繰り返す必要があり、結局テレビジョン受像機の表示部に番組表を表示させた方が操作しやすいという場合もある。
【０００５】
本発明は、斯かる実情に鑑み、番組情報の分類を一目で確認できるように視聴者に報知することで操作性を高めることができるリモコン装置を提供しようとするものである。
【課題を解決するための手段】
【０００６】
本発明は、受信した放送信号を処理する映像処理装置を操作するリモコン装置において、前記映像処理装置に処理する番組チャンネルを指定するチャンネルキーボタンと、前記チャンネルキーボタンをそれぞれカラー点灯させる発光手段と、前記映像処理装置から番組分類情報を受信し、また前記映像処理装置に操作指示信号を送信する送受信手段と、受信した番組分類情報に基づいて分類毎に所定の色で前記発光手段を発光させる発光制御手段とを備えたことを特徴とする。
【０００７】
また本発明は、受信した放送信号を処理する映像処理装置を操作するリモコン装置において、前記映像処理装置に処理させる番組チャンネルを指定するチャンネルキーボタンと、チャンネルキーボタンをそれぞれカラー点灯させる発光手段と、番組情報を受信し、また前記映像処理装置に操作指示信号を送信する送受信手段と、前記送受信手段が受信した番組情報から番組分類情報を抽出する抽出手段と、抽出した分類毎に所定の色で前記発光手段を発光させる発光制御手段とを備えたことを特徴とする。
【０００８】
ここで、前記番組分類情報は、ジャンル毎に番組を分類した情報とすることができ、前記発光制御手段は、赤、緑、青の発光制御による多色発光が可能である。また、前記発光制御手段は、赤、緑、青、無点灯の４種類に分けて前記発光手段を発光させるものでもよい。
【発明の効果】
【０００９】
本発明のリモコン装置によれば、番組分類情報に基づいて分類毎に所定の色で前記発光手段を発光させるので、視聴者が一目で番組分類を識別でき、操作性が格段に向上できる。特に、予め定めた色で番組分類が可能であるため、番組情報を文字で読まなくとも直ちに分類が認識できる。しかも、番組表を表示する高価な高精細表示装置をリモコン装置に備える必要がないので、コストを抑えて小型化も図れる。
【発明を実施するための最良の形態】
【００１０】
以下、本発明の実施の形態を添付図面を参照して説明する。
【００１１】
図１は、本発明に係るリモコン装置とその操作対象であるテレビジョン受信機を示すブロック図である。テレビジョン受像機１０とリモコン装置３０は双方通信が可能である。
【００１２】
テレビジョン受像機１０は、アンテナにより受信した放送信号から指定チャンネルを選局するチューナ部１１と、選局した放送信号から音声信号、映像信号、番組情報を復調や復号するデコーダ部１２と、音声信号をデータを出力できるように処理する音声処理部１３と、音声信号を音声として出力する音声出力部１４と、映像信号を表示できるように処理する映像処理部１５と、映像信号を表示する表示部１６と、リモコン装置３０と通信するための送受信部１７と、各部を制御するＴＶ制御部１８と、外部とデータのやり取りを行うための外部ＩＦ（インターフェース）１９と、データの書き込み読み出しが自在なメモリ部２０と、制御を行うためのソフトウェアや各種アプリケーションソフトウェア等が記憶されているＲＯＭ部２１と、外部機器との通信を可能にするモデム部２２を備える。
【００１３】
リモコン装置３０は、テレビジョン受信機１０と通信するための送受信部３１と、各部を制御するリモコン制御部３２と、メモリ部３３と、ＬＥＤの発光を制御するＬＥＤ制御部３４と、キーボタン部３５、電池部３７を備えている。キーボタン部３５は、各キーの内部にＲＧＢのＬＥＤ３６を備えて、カラー発光を可能にしている。
【００１４】
＜第１実施形態＞
第１実施形態においては、テレビジョン受信機１０において、ＥＰＧの番組情報から番組ジャンル情報を抽出し、それをリモコン装置３０に送信してリモコンでジャンル情報を報知するものである。
【００１５】
図２は、第１実施形態におけるテレビジョン受信機の番組ジャンル情報送信手順を示すフローチャートである。
電源スイッチをＯＮすると（ステップＳ１）、ＴＶ制御部１８はメモリ部２０に記憶されているラストチャンネル情報（電源を切った時点で表示させていたチャンネルの情報）を読み出す。そして、ＴＶ制御部１８は、チューナ部１１にアンテナで受信した放送信号の中からラストチャネルを選局させる。デコーダ部１２は、選局したチャンネルの音声信号、映像信号をデコードする。音声信号は、音声処理部１３を介して音声出力部１４から出力される。映像信号は映像処理部１５を介して表示部１６に表示される（ステップＳ２）。
【００１６】
チューナ部１１を介してデコーダ部１２はＥＰＧの番組情報を復号化してＴＶ制御部１８へデータを出力する。ＴＶ制御部１８が番組情報から番組ジャンル情報を抽出する（ステップＳ４）。そして、ＴＶ制御部１８は、番組ジャンル情報をリモコン装置３０へ送るためにリモコンコードに変換し（ステップＳ５）、送受信部１７がリモコン装置３０からリモコンコード要求信号を受信したかを確認する（ステップＳ６）。リモコンコード要求信号を受信した場合、送受信部１７からリモコンコードを送信する（ステップＳ７）。
【００１７】
図３は、第１実施形態におけるリモコン装置の番組情報提示の動作手順を示すフローチャートである。
視聴者がリモコン装置３０のキーボタンをタッチすると（ステップＳ１１）、リモコン制御部３２はキー情報をテレビジョン受像機１０へ向け送受信部３１に送信させる（ステップＳ１２）。テレビジョン受像機１０は、このキー情報を受けて、所定の処理を行う。次に、リモコンコード要求信号を送受信部３１からテレビジョン受像機１０へ送信する（ステップＳ１３）。図２のステップＳ７にあるようにテレビジョン受像機１０からリモコンコードを送信されるので、送受信部３１がこれを受信する（ステップＳ１４）。リモコン制御部３２は、受信したリモコンコードを番組ジャンル情報に変換する（ステップＳ１５）。
【００１８】
予めジャンル毎に色を割り付けた設定がなされており、これはメモリ部３３に記憶されている。この実施形態では、赤、青、黄、無の４種類を４種類のジャンルに割り付けてある。例えば、スポーツを赤、ニュースを青、ドラマを黄、その他を無とする。これは、ＲＧＢのＬＥＤ３６をそれぞれを点灯制御するためのものであるが（無色の場合は無点灯状態）、これにかぎるものではなく、ＲＧＢ−ＬＥＤのそれぞれの発光度合いを制御して多種の色設定も可能である。これらの色割付は、デフォルト状態の設定もあるが、視聴者が自由に設定変更可能である。また、分類は番組ジャンルでなく、別のものでもよい。
【００１９】
リモコン制御部３２は、メモリ部３３に記憶されているジャンルカラー設定情報を読み出して、番組ジャンル情報にも基づいてチャンネルキーボタンに色を割り当てる（ステップＳ１６）。このときのチャンネルキーボタンは、直接のチャンネルを示すダイレクトキーでも良いし、視聴者がキーボタンに好みのチャンネルを指定したものでも良い。
【００２０】
ＬＥＤ制御部３４は、リモコン制御部３２の色設定指示信号に従って、キーボタン部３５に内蔵されているＬＥＤを点灯制御する（ステップＳ１７）。ＬＥＤ制御部３４は内部タイマーによって点灯時間をカウントしており、所定時間を経過したかを確認している（ステップＳ１８）。所定時間を経過した場合にＬＥＤを消灯する（ステップＳ１９）。
【００２１】
なお、ジャンル色設定の情報は、リモコン装置３０のメモリ部３３に記憶されているが、テレビジョン受像機１０のメモリ部２０に記憶されていてもよい。そして、番組ジャンル情報をテレビジョン受像機１０からリモコン装置３０へ送信する場合に、メモリ部２０からジャンル色設定情報を読み出してリモコン装置３０へ送信しても良い。この場合は、ジャンル色設定情報を一旦メモリ部３３に記憶してから図３のステップＳ１６以降の動作を行う。
【００２２】
＜第２実施形態＞
第２実施形態においては、テレビジョン受信機１０は、ＥＰＧの番組情報を抽出してリモコン装置３０に送信し、リモコン装置３０で番組情報から番組ジャンル情報を抽出して、ジャンル情報を報知するものである。
【００２３】
図４は、第２実施形態におけるテレビジョン受信機の番組ジャンル情報送信手順を示すフローチャートである。
電源スイッチをＯＮすると（ステップＳ２１）、ＴＶ制御部１８はメモリ部２０に記憶されているラストチャンネル情報（電源を切った時点で表示させていたチャンネルの情報）を読み出す。そして、ＴＶ制御部１８は、アンテナで受信した放送信号をチューナ部１１にラストチャネルを選局させる。デコーダ部１２は、選局したチャンネルの音声信号、映像信号をデコードする。音声信号は、音声処理部１３を介して音声出力部１４から出力される。映像信号は映像処理部１５を介して表示部１６に表示される（ステップＳ２２）。
【００２４】
チューナ部１１を介してデコーダ部１２はＥＰＧの番組情報を復号化してＴＶ制御部１８へデータを出力する（ステップＳ２３）。そして、ＴＶ制御部１８は、番組情報をリモコン装置３０へ送るためにリモコンコードに変換し（ステップＳ２４）、送受信部１７がリモコン装置３０からリモコンコード要求信号を受信したかを確認する（ステップＳ２５）。リモコンコード要求信号を受信した場合、送受信部１７からリモコンコードを送信する（ステップＳ２６）。
【００２５】
図５は、第２実施形態におけるリモコン装置の番組情報提示の動作手順を示すフローチャートである。
視聴者がリモコン装置３０のキーボタンをタッチすると（ステップＳ３１）、リモコン制御部３２はキー情報をテレビジョン受像機１０へ送受信部１７に送信させる（ステップＳ３２）。テレビジョン受像機１０は、このキー情報を受けて、所定の処理を行う。次に、リモコンコード要求信号を送受信部３１からテレビジョン受像機１０へ送信する（ステップＳ３３）。図４のステップＳ２６にあるようにテレビジョン受像機１０からリモコンコードを送信されるので、送受信部３１がこれを受信する（ステップＳ３４）。リモコン制御部３２は、受信したリモコンコードを番組情報に変換し（ステップＳ３５）、番組情報から番組ジャンル情報を抽出する（ステップＳ３６）。
【００２６】
第１実施形態同様に、予めジャンル毎に色を割り付けた設定がなされており、これはメモリ部３３に記憶されている。
【００２７】
リモコン制御部３２は、メモリ部３３に記憶されているジャンルカラー設定情報を読み出して、チャンネルキーボタンに色を割り当てる（ステップＳ３７）。このときのチャンネルキーボタンは、直接のチャンネルを示すダイレクトキーもあるし、視聴者がキーボタンに好みのチャンネルを指定したキーボタンでもよい。
【００２８】
ＬＥＤ制御部３４は、リモコン制御部３２の色設定に従って、キーボタン部３５に内蔵されているＬＥＤを点灯制御する（ステップＳ３８）。ＬＥＤ制御部３４は内部タイマーによって点灯時間をカウントしており、所定時間を経過したかを確認している（ステップＳ３９）。所定時間を経過した場合にＬＥＤ３６を消灯する（ステップＳ４０）。
【００２９】
こうして、キーの発光色で番組分類が可能であるので、ユーザが一目で確認でき、文字等を読む必要もないので、操作性が向上する。特に、上記実施形態のように、ジャンル分け等に適している。発光色はＲＧＢのＬＥＤ発光制御により多色化が可能であるが、操作性の観点や発光制御の単純化を考慮すれば、実施形態のように、３色発光に無点灯を加えて４分類程度に対応するのが好ましい。
【図面の簡単な説明】
【００３０】
【図１】本発明に係るリモコン装置とその操作対象であるテレビジョン受信機を示すブロック図である。
【図２】第１実施形態におけるテレビジョン受信機の番組ジャンル情報送信手順を示すフローチャートである。
【図３】第１実施形態におけるリモコン装置の番組情報提示の動作手順を示すフローチャートである。
【図４】第２実施形態におけるテレビジョン受信機の番組ジャンル情報送信手順を示すフローチャートである。
【図５】第２実施形態におけるリモコン装置の番組情報提示の動作手順を示すフローチャートである。
【符号の説明】
【００３１】
１０  テレビジョン受像機
１１  チューナ部
１２  デコーダ部
１３  音声処理部
１４  音声出力部
１５  映像処理部
１６  表示部
１７  送受信部
１８  ＴＶ制御部
１９  外部ＩＦ部
２０  メモリ部
２１  ＲＯＭ部
２２  モデム部
３０  リモコン装置
３１  送受信部
３２  リモコン制御部
３３  メモリ部
３４  ＬＥＤ制御部
３５  キーボタン部
３６  ＬＥＤ
３７  電池部
【図１】
2008072557.tif 000003
【図２】
2008072557.tif 000004
【図３】
2008072557.tif 000005
【図４】
2008072557.tif 000006
【図５】
2008072557.tif 000007